【誤訳訂正書】
【提出日】令和3年8月30日(2021.8.30)
【誤訳訂正１】
【訂正対象書類名】明細書
【訂正対象項目名】０００９
【訂正方法】変更
【訂正の内容】
【０００９】
一例には、平面を横切る方向に延伸する壁と、細長いリブであって、細長いリブが壁に沿って延伸し、平面に垂直な方向に延伸する軸線とある角度を作るようにリブの細長い寸法に沿って壁に連結される、細長いリブと、を備えるグリッド補剛構造が含まれる。細長いリブは自由側壁を画定し、自由側壁は、細長いリブの第１の側面上に配置された壁から延伸し、細長いリブの周囲のかつ細長い寸法に対して横方向に細長いリブの第２の側面上に配置された壁まで延伸する。壁および細長いリブは、軸線を横切る方向に延伸する複数の材料層で構築される。
【誤訳訂正２】
【訂正対象書類名】明細書
【訂正対象項目名】００１０
【訂正方法】変更
【訂正の内容】
【００１０】
別の例は、円筒形状を画定する壁と、壁の第１の端部に固定された第１の湾曲壁と、壁の第２の端部に固定された第２の湾曲壁とを含むグリッド補剛構造を有する容器を含む。第１の湾曲壁は、流体が容器に入るための第１の開口部を画定し、第２の湾曲壁は、流体が容器から出るための第２の開口部を画定する。複数の細長いリブは、各細長いリブが複数の細長いリブのそれぞれの長さ寸法に沿って壁に連結される。複数の細長いリブは、４つの細長いリブの複数の組を備え、各組は、４つの細長離リブの中に壁に沿って平行四辺形境界を形成し、壁および複数の細長いリブは、壁の長さ方向を横切る方向に延伸する複数の材料層で構築される。複数の第１の移行補剛材部材がそれぞれ、壁の第１の端部に連結され、かつ壁の第１の端部に沿って延伸するように配置された第１の壁部材を備え、各第１の移行補剛材部材は、壁の第１の端部に沿って第１の壁部材内に涙滴状境界を形成する。複数の第２の移行補剛材部材がそれぞれ、壁の第２の端部に連結され、かつ壁の第２の端部に沿って延伸するように配置された第２の壁部材を備え、各第２の移行補剛材部材は、壁の第２の端部に沿って第２の壁部材内に涙滴状境界を形成する。複数の第１の補剛材部材が、第１の湾曲壁に連結され、かつ第１の湾曲壁に沿って延伸するように配置され、複数の第１の補剛材部材のうちの少なくとも１つが、第１の湾曲壁に連結された少なくとも１つの第１の壁部材を含み、少なくとも１つの第１の壁部材は第１の湾曲壁で境界形状を形成する。複数の第２の補剛材部材が、第２の湾曲壁に連結され、かつ第２の湾曲壁に沿って第２の開口部の周囲に延伸するように配置され、複数の第２の補剛材部材のうちの少なくとも１つが、第２の湾曲壁に連結された少なくとも１つの第２の壁部材を含み、少なくとも１つの第２の壁部材は第２の湾曲壁で境界形状を形成する。
【誤訳訂正３】
【訂正対象書類名】明細書
【訂正対象項目名】００２３
【訂正方法】変更
【訂正の内容】
【００２３】
図３に見られるように、細長いリブ１３は自由側壁４０を画定し、自由側壁４０は、細長いリブ１３の第１の側面４２上に配置された壁１８から延伸し、細長いリブ１３の周囲のかつ細長い寸法Ｄを横切る方向Ｔに、細長いリブ１３の第２の側面４４上に配置された壁１８まで延伸する。３次元プリンタ４６を使用すると、壁１８および細長いリブ１３は、図４に見られるように、Ｚ軸を横切る方向Ｌに、この例ではＺ軸に垂直な方向Ｌに延伸する複数の材料層４８で構築される。複数の材料層４８は、完成品上に肉眼またはＣＴスキャナで検出可能である。グリッド補剛構造１０が３次元プリンタ４６で構築される場合、複数の材料層４８を構築するときに使用される３次元印刷機器および材料は、軸線Ｚなどの垂直配向に対して構造の角度制限を与える。その結果、細長いリブ１３は、Ｚ軸に対する角度「ａ」を含む角度関係で壁１８に沿って延伸し、角度「ａ」は、上述したように最大で５３度（５３°）を含むことができる。
【誤訳訂正４】
【訂正対象書類名】明細書
【訂正対象項目名】００２４
【訂正方法】変更
【訂正の内容】
【００２４】
図２〜図４に示され、前述したグリッド補剛構造例１０は４つの細長いリブ１３を含み、４つの細長いリブ１３は平行四辺形境界形状１４を形成する。グリッド補剛構造１０に追加の強度を与えるために、追加の印刷材料が、印刷工程で、平行四辺形境界形状１４内に配置された壁１８に供給される。図５および図６を参照すると、４つの細長いリブ１３の中に配置された壁１８は、４つの細長いリブ１３から延伸する表面５０を含む。表面５０の第１の部分５２は、４つの細長いリブ１３を横切る方向に延伸する。表面５０の第２の部分５４は、表面５０の第１の部分５２を横切る方向に延伸する。表面５０の第２の部分５４は、４つの細長いリブ１３によって形成された平行四辺形境界形状１４よりも小さい寸法を有する第２の平行四辺形境界形状５６を画定する。表面５０の第３の部分５８は、表面５０の第２の部分５４から横方向に延伸する。表面５０の第１の部分５２に関連する壁１８の厚さ寸法Ｔ１は、表面５０の第３の部分５８に関連する壁１８の厚さ寸法Ｔ２よりも大きい。このフラクタル壁配置は、例えば、容器１２の壁１８の円筒形状１６を構築するときに、容器１２の壁１８の必要とされるところに追加の強度を戦略的に配置するように選択的に構築することができる。同心に配置された平行四辺形境界形状１４および第２の平行四辺形境界形状５６に加えて、１つまたは複数の追加の平行四辺形状が、上記の平行四辺形境界形状と同心に配置されて構築することができる。フラクタル壁構造の他の配向が使用されることもあり、境界形状が平行四辺形境界形状１４の中に配置される同心配置の代わりに、より小さい平行四辺形状構造が、例えば、４つの細長いリブ１３でなる境界形状の中にかかる境界形状を全て並列関係で配置して実装され得る。
【誤訳訂正５】
【訂正対象書類名】明細書
【訂正対象項目名】００２６
【訂正方法】変更
【訂正の内容】
【００２６】
図８を参照すると、グリッド補剛構造１０の４つの細長いリブ１３の組Ｓの第１の例が示されている。この例では、４つの細長いリブ１３の組Ｓの少なくとも１つの細長いリブ１３が穴または排出孔６０を画定し、穴または排出孔６０は、少なくとも１つの細長いリブ１３を通って少なくとも１つの細長いリブ１３の長さ方向Ｌを横切る方向に細長いリブ１３の第１の側面４２から細長いリブ１３の第２の側面４４まで延伸する。排出孔または穴６０は、細長いリブ１３に沿った所望の箇所に、分析でその箇所を適切と考える場所に基づいて配置することができる。穴６０は、例えば、４つの細長いリブ１３の組Ｓの中に捕捉され得る推進剤燃料流体を、細長いリブ１３の第１の側面４２から細長いリブ１３の第２の側面４４へ、そして隣接する４つの細長いリブ１３の組Ｓの中へ逃がすかまたはその他の方法で排出することができるように供給する。４つの穴または排出孔６０は４つの細長いリブ１３の組Ｓの中に配置され、１つの穴６０が組Ｓの各リブ１３の中に配置される。穴６０は、図８に示されているように、２つの細長いリブ１３が互いに隣接するところに配置されてもよい。穴６０は、選択的細長いリブ１３を貫通して配置されるとともに、容器１２の壁１８の円筒形状１６上に配置された所望の箇所に配置され、それによって、４つの細長いリブ１３の組Ｓの中に配置された推進剤燃料流体が容器１２の燃料出口に向かって移動できるようにするための、壁１８の円筒形状１６に沿った流路を提供するが、これについては本明細書でより詳細に論じる。穴６０は、図８に見られるように、この実施形態では、例えば、４つの細長いリブ１３の組Ｓの中からの流動性内容物の除去を促進するために、壁１８の円筒形状１６と面一で配置される。
【誤訳訂正６】
【訂正対象書類名】明細書
【訂正対象項目名】００５０
【訂正方法】変更
【訂正の内容】
【００５０】
図１を参照すると、グリッド補剛構造１０を有する容器１２は、前述のように、円筒形状１６を画定する壁１８を含む。第１の湾曲壁２２は壁１８の第１の端部３０に連結され、第２の湾曲壁２６は壁１８の第２の端部３６に連結される。壁１８、第１の湾曲壁２２および第２の湾曲壁２６は、先に論じたように、３次元印刷を利用した付加製造で構築される。第１の湾曲壁２２は、流体が容器１２に入るための第１の開口部７４を画定し、第２の湾曲壁２６は、流体が容器１２から出るための第２の開口部７６を画定する。前述のように、第１の開口部７４は、流動性内容物が容器１２から排出されるときに加圧ガスを導入して内圧を維持するために使用することもできる。さらに、第２の開口部７６は、容器１２の充填と排出の両方に使用することができる。複数の細長いリブ１３は、それぞれの細長いリブ１３が、３次元印刷製作工程で材料層を横たえることにより、複数の細長いリブ１３のそれぞれの長さ寸法Ｄに沿って壁１８に連結される。複数の細長いリブ１３は、図１に見られるように、４つの細長いリブ１３の複数の組Ｓを含む。各組Ｓは、４つの細長いリブ１３の中に壁１８に沿って平行四辺形境界形状１４を形成する。壁１８および複数の細長いリブ１３は、図４に示されているように、複数の材料層４８で構築され、複数の材料層４８は、図４に示されているように、長さ方向を横切る方向に延伸し、壁１８の長さ方向は、この例ではＺ軸方向に延伸する。
【誤訳訂正７】
【訂正対象書類名】明細書
【訂正対象項目名】００６５
【訂正方法】変更
【訂正の内容】
【００６５】
さらに、本開示は下記項による諸実施形態を含む。
項１．
平面を横切る方向に延伸する壁と、
細長いリブであって、細長いリブが壁に沿って延伸し、平面に垂直な方向に延伸する軸線と角度を作るようにリブの細長い寸法に沿って壁に連結される、細長いリブと
を備えるグリッド補剛構造であって、
細長いリブが自由側壁を画定し、自由側壁は、細長いリブの第１の側面上に配置された壁から延伸し、細長いリブの周囲のかつ細長い寸法を横切る方向に細長いリブの第２の側面上に配置された壁まで延伸し、
壁および細長いリブが、軸線を横切る方向に延伸する複数の材料層で構築される、グリッド補剛構造。
【誤訳訂正８】
【訂正対象書類名】明細書
【訂正対象項目名】００６９
【訂正方法】変更
【訂正の内容】
【００６９】
項５．
４つの細長いリブの中に配置された壁が、４つの細長いリブから延伸する表面を備え、
表面の第１の部分が４つの細長いリブから横方向に延伸し、
表面の第２の部分が表面の第１の部分から横方向に延伸し、表面の第２の部分が、平行四辺形境界形状より小さい寸法を有する第２の平行四辺形境界形状を画定し、
表面の第３の部分が表面の第２の部分から横方向に延伸し、表面の第１の部分に関連する壁の厚さ寸法が、表面の第３の部分に関連する壁の厚さ寸法より大きい、項４に記載のグリッド補剛構造。
【誤訳訂正９】
【訂正対象書類名】明細書
【訂正対象項目名】００７３
【訂正方法】変更
【訂正の内容】
【００７３】
項９．
４つの細長いリブの組の少なくとも１つの細長いリブが穴を画定し、穴が、少なくとも１つの細長いリブの長さ方向を横切る方向に少なくとも１つの細長いリブを貫通して延伸して、少なくとも１つの細長いリブの第１の側面から少なくとも１つの細長いリブを通って少なくとも１つの細長いリブの第２の側面までの流体流通をもたらす、項７に記載のグリッド補剛構造。
グリッド補剛構造。
【誤訳訂正１０】
【訂正対象書類名】明細書
【訂正対象項目名】００８２
【訂正方法】変更
【訂正の内容】
【００８２】
項１８．
円筒形状を画定する壁と、
壁の第１の端部に連結された第１の湾曲壁と、
壁の第２の端部に連結された第２の湾曲壁であって、
第１の湾曲壁が、流体が容器に入るための第１の開口部を画定し、
第２の湾曲壁が、流体が容器から出るための第２の開口部を画定する、第２の湾曲壁と、
複数の細長いリブであって、各細長いリブが複数の細長いリブのそれぞれの長さ寸法に沿って壁に連結され、
複数の細長いリブが４つの細長いリブの複数の組を備え、
各組が、４つの細長いリブの中に壁に沿って平行四辺形境界形状を形成し、
壁および複数の細長いリブが、壁の長さ方向に対して横方向に延伸する複数の材料層で構成される、複数の細長いリブと、
それぞれが、壁の第１の端部に連結され、かつ壁の第１の端部に沿って延伸するように配置された第１の壁部材を備える複数の第１の移行補剛材部材であって、第１の移行補剛材部材がそれぞれ、第１の壁部材内に壁の第１の端部に沿って涙滴状境界を形成する、複数の第１の移行補剛材部材と、
それぞれが、壁の第２の端部に連結され、かつ壁の第２の端部に沿って延伸するように配置された第２の壁部材を備える複数の第２の移行補剛材部材であって、第２の補剛材部材がそれぞれ、第２の壁部材内に壁の第２の端部に沿って涙滴状境界を形成する、複数の第２の移行補剛材部材と、
第１の湾曲壁に連結され、かつ第１の湾曲壁に沿って延伸するように配置された複数の第１の補剛材部材であって、複数の第１の補剛材部材のうちの少なくとも１つが、第１の湾曲壁に連結された少なくとも１つの第１の壁部材を備え、少なくとも１つの第１の壁部材が、第１の湾曲壁と共に境界形状を形成する、複数の第１の補剛材部材と、
第２の湾曲壁に連結され、かつ第２の湾曲壁に沿って第２の開口部の周囲に延伸するように配置された複数の第２の補剛材部材であって、複数の第２の補剛材部材のうちの少なくとも１つが、第２の湾曲壁に連結された少なくとも１つの第２の壁部材を備え、少なくとも１つの第２の壁部材が、第２の湾曲壁と共に境界形状を形成する、複数の第２の補剛材部材と、
を備えるグリッド補剛構造を有する容器。
【誤訳訂正１１】
【訂正対象書類名】特許請求の範囲
【訂正対象項目名】全文
【訂正方法】変更
【訂正の内容】
【特許請求の範囲】
【請求項１】
平面（Ｐ）を横切る方向に延伸する壁（１８）と、
細長いリブ（１３）であって、前記細長いリブ（１３）が前記壁に沿って延伸し、前記平面（Ｐ）に垂直な方向に延伸する軸線と角度（ａ）を作るように前記細長いリブ（１３）の細長い寸法（Ｄ）に沿って前記壁（１８）に連結される、細長いリブ（１３）と
を備えるグリッド補剛構造（１０）であって、
前記細長いリブ（１３）が自由側壁（４０）を画定し、前記自由側壁（４０）は、前記細長いリブ（１３）の第１の側面（４２）上に配置された前記壁（１８）から延伸し、前記細長いリブ（１３）の周囲のかつ前記細長い寸法を横切る方向（Ｔ）に前記細長いリブ（１３）の第２の側面（４４）上に配置された前記壁（１８）まで延伸し、
前記壁（１８）および前記細長いリブ（１３）が、前記軸線を横切る方向（Ｌ）に延伸し、前記軸線に沿った方向に堆積する材料層（４８）で構築される、グリッド補剛構造（１０）。
【請求項２】
前記軸線との前記細長いリブ（１３）の前記角度（ａ）が最大で５３度である、請求項１に記載のグリッド補剛構造（１０）。
【請求項３】
前記軸線が垂直方向に延びる、請求項１または２に記載のグリッド補剛構造（１０）。
【請求項４】
平行四辺形境界形状（１４）を形成する４つの細長いリブをさらに備える、請求項２に記載のグリッド補剛構造（１０）。
【請求項５】
前記４つの細長いリブの中に配置された前記壁（１８）が、前記４つの細長いリブから延伸する表面（５０）を備え、
前記表面の第１の部分（５２）が前記４つの細長いリブから横方向に延伸し、
前記表面の第２の部分（５４）が前記表面の前記第１の部分（５２）から横方向に延伸し、前記表面の前記第２の部分（５４）が、前記平行四辺形境界形状（１４）より小さい寸法を有する第２の平行四辺形境界形状（５６）を画定し、
前記表面の第３の部分（５８）が前記表面の前記第２の部分（５４）から横方向に延伸し、前記表面の前記第１の部分（５２）に関連する前記壁（１８）の厚さ寸法（Ｔ１）が、前記表面の前記第３の部分（５８）に関連する前記壁の厚さ寸法（Ｔ２）より大きい、請求項４に記載のグリッド補剛構造（１０）。
【請求項６】
前記壁（１８）が円筒形状（１６）を形成する、請求項４または５に記載のグリッド補剛構造（１０）。
【請求項７】
４つの細長いリブの複数の組（Ｓ）をさらに備え、前記複数の組（Ｓ）がそれぞれ、４つの細長いリブの複数の組（Ｓ）の各組の中に前記平行四辺形境界形状（１４）を形成する、請求項６に記載のグリッド補剛構造（１０）。
【請求項８】
前記複数の組（Ｓ）のうちの第１の組（Ｓ１）の第１の細長いリブ（１３’）が、前記複数の組（Ｓ）のうちの第２の組（Ｓ２）の第２の細長いリブ（１３’’）が前記壁（１８）から離れる向きに延伸する距離（ｄ）よりも大きい距離（ｄ１）にわたって前記壁（１８）から離れる向きに延伸する、請求項７に記載のグリッド補剛構造（１０）。
【請求項９】
４つの細長いリブの複数の組（Ｓ）の少なくとも１つの組の少なくとも１つの細長いリブが穴（６０）を画定し、前記穴（６０）が、前記少なくとも１つの細長いリブの長さ方向（Ｌ）を横切る方向に前記少なくとも１つの細長いリブを貫通して延伸して、前記少なくとも１つの細長いリブの前記第１の側面（４２）から前記少なくとも１つの細長いリブを通って前
記少なくとも１つの細長いリブの前記第２の側面（４４）までの流体流通をもたらす、請求項７または８に記載のグリッド補剛構造（１０）。
【請求項１０】
４つの細長いリブの複数の組（Ｓ）の少なくとも１つの組の少なくとも１つの細長いリブの自由側壁（４０）が溝（６２）を画定し、前記溝（６２）は、前記溝が前記少なくとも１つの細長いリブの前記溝に沿って流体流通をもたらすように、前記少なくとも１つの細長いリブの長さ（Ｌ）に沿った方向に延伸する、請求項７から９のいずれか一項に記載のグリッド補剛構造（１０）。
【請求項１１】
４つの細長いリブの複数の組（Ｓ）の少なくとも１つの組の前記細長いリブのうちの少なくとも１つによって画定された穴（６４）をさらに備え、前記穴（６４）が、前記細長いリブのうちの前記少なくとも１つの中に前記少なくとも１つの長さ（Ｌ）に沿って延伸する、請求項７に記載のグリッド補剛構造（１０）。
【請求項１２】
前記複数の細長いリブの少なくとも一部に連結された第２の壁（６６）であって、前記複数の細長いリブの前記少なくとも一部を前記壁（１８）と前記第２の壁（６６）との間に配置して、４つの細長いリブの複数の組（Ｓ）の少なくとも１つの組、前記壁（１８）および前記第２の壁（６６）によって画定されるポケット（Ｐ）を形成する、第２の壁（６６）と、
前記ポケット（Ｐ）内に配置された圧力トランスデューサ抵抗器（６８）、容量性流体および水のうちの１つと
をさらに備え、
前記第２の壁（６６）が、前記壁（１８）の厚さ（Ｔ４）よりも薄い厚さ（Ｔ３）を有する、請求項７から１１のいずれか一項に記載のグリッド補剛構造（１０）。
【請求項１３】
前記壁（１８）の第１の端部（３０）に固定された第１の湾曲壁（２２）と、
前記壁（１８）の第２の端部（３６）に固定された第２の湾曲壁（２６）と、
をさらに備え、
前記第１の湾曲壁（２２）、前記第２の湾曲壁（２６）および前記壁（１８）が容器（１２）を形成し、
前記第１の湾曲壁（２２）は、流体が前記容器（１２）に入るための第１の開口部（７４）を画定し、前記第２の湾曲壁（２６）は、流体が前記容器（１２）から出るための第２の開口部（７６）を画定し、
前記第１の湾曲壁（２２）が、前記第１の湾曲壁（２２）に連結され、かつ前記第１の湾曲壁（２２）に沿って配置された複数の第１の補剛材部材（２０）を含み、
前記複数の第１の補剛材部材（２０）のそれぞれが、前記第１の湾曲壁（２２）に沿って延伸する少なくとも１つの第１の壁部材（７８）を備え、前記第１の湾曲壁（２２）上に境界形状を形成し、
前記少なくとも１つの第１の壁部材（７８）が第１の自由側面表面（８０）を備え、前記第１の自由側面表面（８０）は、前記少なくとも１つの第１の壁部材（７８）に沿って、前記少なくとも１つの第１の壁部材（７８）のまわりに、前記少なくとも１つの第１の壁部材（７８）の第１の側面（８２）から前記少なくとも１つの第１の壁部材（７８）の第２の反対側面（８４）まで延伸し、前記第１の湾曲壁（２２）から離れて配置された前記少なくとも１つの第１の壁部材の遠位端（８６）を備え、
前記第２の湾曲壁（２６）が、前記第２の湾曲壁（２６）に連結され、かつ前記第２の湾曲壁（２６）に沿って配置された複数の第２の補剛材部材（２４）を備え、
前記複数の第２の補剛材部材（２４）のそれぞれが、前記第２の湾曲壁（２６）に沿って延伸する少なくとも１つの第２の壁部材（８８）を備え、前記第２の湾曲壁（２６）上に境界形状を形成し、
前記少なくとも１つの第２の壁部材（８８）が第２の自由側面表面（９０）を備え、前記第２の自由側面表面（９０）は、前記少なくとも１つの第２の壁部材（８８）に沿って、前記少なくとも１つの第２の壁部材（８８）のまわりに、前記少なくとも１つの第２の壁部材（８８）の第１の側面（９２）から前記少なくとも１つの第２の壁部材（８８）の第２の反対側面（９４）まで延伸し、前記第２の湾曲壁（２６）から離れて配置された前記少なくとも１つの第２の壁部材の遠位端（９６）を含み、
前記複数の第２の補剛材部材（２４）の一部は、前記複数の第２の補剛材部材（２４）の前記少なくとも１つの第２の壁部材（８８）の一部が前記第２の湾曲壁（２６）から離れる方向（ＤＲ１）に延伸するとともに、前記第２の開口部（７６）に対して非接線方向の前記第２の湾曲壁（２６）に沿った方向（ＤＲ２）に延伸するように、前記第２の開口部（７６）の周囲に配置され、
前記４つの細長いリブの複数の組であって、前記４つの細長いリブの複数の組の各組が、前記壁（１８）に沿って配置された前記４つの細長いリブの中に平行四辺形境界形状を画定する、複数の組と、
前記壁（１８）の前記第１の端部（３０）に連結され、かつ前記第１の端部（３０）に沿って配置された複数の第１の移行補剛材部材（２８）であって、前記第１の移行補剛材部材（２８）のそれぞれが第１の壁部材（１００）を備え、前記第１の壁部材（１００）が、前記壁（１８）の前記第１の端部（３０）上の前記第１の壁部材（１００）内に涙滴状境界（３２）を形成する、複数の第１の移行補剛材部材（２８）と、
前記壁（１８）の前記第２の端部（３６）に連結され、かつ前記第２の端部（３６）に沿って配置された複数の第２の移行補剛材部材（３４）であって、前記第２の移行補剛材部材（３４）のそれぞれが第２の壁部材（１０２）を備え、前記第２の壁部材（１０２）が、前記壁（１８）の前記第２の端部（３６）上の前記第２の壁部材（１０２）内に涙滴状境界（３８）を形成する、複数の第２の移行補剛材部材（３４）と、
をさらに備える、請求項６に記載のグリッド補剛構造（１０）。
【請求項１４】
前記第１の湾曲壁（２２）の第１の部分（１０４）が前記第１の湾曲壁（２２）の第２の部分（１０８）よりも大きい寸法を有し、前記第１の湾曲壁（２２）の前記第１の部分（１０４）がより小さい寸法を有する前記境界形状の形状を画定するように、前記第１の湾曲壁（２２）は、前記境界形状内に配置され、
前記第２の湾曲壁（２６）の第１の部分が前記第２の湾曲壁（２６）の第２の部分よりも大きい寸法を有し、前記第２の湾曲壁（２６）の前記第１の部分がより小さい寸法を有する前記境界形状の形状を画定するように、前記第２の湾曲壁（２６）は、前記境界形状内に配置され、
前記壁（１８）の前記第１の端部（３０）の第１の部分が前記壁（１８）の前記第１の端部（３０）の第２の部分よりも大きい寸法を有し、前記壁（１８）の前記第１の端部（３０）の前記第１の部分が前記涙滴状境界（３２）よりも小さい寸法の涙滴形状を画定するように、前記壁（１８）の前記第１の端部（３０）は、前記涙滴状境界（３２）内にあり、
前記壁（１８）の前記第２の端部（３６）の第１の部分が前記壁（１８）の前記第２の端部（３６）の第２の部分よりも大きい寸法を有し、前記壁（１８）の前記第２の端部の前記第１の部分が前記涙滴状境界（３８）よりも小さい寸法の涙滴形状を画定するように、前記壁（１８）の前記第２の端部（３６）は、前記涙滴状境界（３８）内にある、請求項１３に記載のグリッド補剛構造（１０）。
【請求項１５】
前記少なくとも１つの第１の壁部材（７８）が、前記少なくとも１つの第１の壁部材（７８）の前記第１の側面（８２）から前記少なくとも１つの第１の壁部材（７８）の第２の反対側面（８４）まで延伸して、前記少なくとも１つの第１の壁部材（７８）の前記第１の側面（８２）から前記少なくとも１つの第１の壁部材（７８）の前記第２の反対側面（８４）までの流体流通をもたらす穴（１１６）、および、前記少なくとも１つの第１の壁部材（７８）の長さ（Ｌ１）に沿って延伸して、前記少なくとも１つの第１の壁部材（７８）に沿って流体流通をもたらす溝（１１８）の少なくとも一方を画定し、
前記少なくとも１つの第２の壁部材（８８）が、前記少なくとも１つの第２の壁部材（８８）の前記第１の側面（９２）から前記少なくとも１つの第２の壁部材（８８）の第２の反対側面（９４）まで延伸して、前記少なくとも１つの第２の壁部材（８８）の前記第１の側面（９２）から前記少なくとも１つの第２の壁部材（８８）の前記第２の反対側面（９４）までの流体流通をもたらす穴、および、前記少なくとも１つの第２の壁部材（８８）の長さに沿って延伸して、前記少なくとも１つの第２の壁部材（８８）に沿って流体流通をもたらす溝の少なくとも一方を画定し、
前記第１の壁部材（１００）が、前記第１の壁部材（１００）を貫通して延伸し、前記第１の壁部材（１００）の第１の側面（１２２）から前記第１の壁部材（１００）の第２の反対側面（１２４）までの流体流通をもたらす穴（１２０）、および、前記第１の壁部材（１００）に沿った方向（Ｄ１）に延伸して、前記第１の壁部材（１００）に沿って流体流通をもたらす溝（１２６）の少なくとも一方を画定し、
前記第２の壁部材（１０２）が、前記第２の壁部材（１０２）を貫通して延伸し、前記第２の壁部材（１０２）の第１の側面から前記第２の壁部材（１０２）の第２の反対側面までの流体流通をもたらす穴、および、前記第２の壁部材（１０２）に沿った方向に延伸して、前記第２の壁部材（１０２）に沿って流体流通をもたらす溝の少なくとも一方を画定する、請求項１３に記載のグリッド補剛構造（１０）。